(57)【要約】【課題】ＥＴＣ端末として簡単に設定することができるようにする。【解決手段】本発明に係る情報処理装置に適用可能なカメラ付ディジタル携帯電話機においては、車両情報取得要求生成部１２２は、車両内のパーソナルコンピュータなどから車両情報の取得を要求する車両情報取得要求を生成し、車両情報無線通信部１１８は車両情報取得要求をパーソナルコンピュータなどに送信するとともに、パーソナルコンピュータなどから車両情報を受信する。車両情報取得部１２３は車両情報を取得し、補助記憶部１２４は取得された車両情報を記憶する。固有情報生成部１２５は、カメラ付ディジタル携帯電話機の固有情報を生成し、車両情報無線通信部１１８はカメラ付ディジタル携帯電話機の固有情報をパーソナルコンピュータなどに送信する。ＥＴＣ処理実行制御部１２６は、ＥＴＣ処理の実行を制御する。【選択図】  図８
2008004009.tif 000002
【特許請求の範囲】
【請求項１】
車両に予め設置された車両設置用情報処理装置から車両情報を受信する受信手段と、
前記受信手段により受信された前記車両情報を記憶する記憶手段と、
情報処理装置に固有の固有情報を前記車両設置用情報処理装置に送信する第１の送信手段と、
前記記憶手段に記憶されている前記車両情報を用いて、前記車両の通行を管理する情報管理装置との間のＥＴＣ処理の実行を制御するＥＴＣ処理制御手段とを備えることを特徴とする情報処理装置。
【請求項２】
前記送信手段により前記固有情報を前記車両設置用情報処理装置に送信した後、ＥＴＣ処理を実行可能である旨のメッセージを表示する表示手段をさらに備えることを特徴とする請求項１に記載の情報処理装置。
【請求項３】
前記ＥＴＣ処理制御手段による前記情報管理装置とのＥＴＣ処理の実行の制御において取得された通行料金情報を記憶する記憶手段と、
前記記憶手段により記憶されている前記通行料金情報を表示する表示手段をさらに備えることを特徴とする請求項１に記載の情報処理装置。
【請求項４】
前記記憶手段により記憶されている前記通行料金情報に基づいて、所定の計算処理の実行を制御する計算処理制御手段とをさらに備えることを特徴とする請求項３に記載の情報処理装置。
【請求項５】
前記計算処理制御手段により実行が制御された所定の計算処理の結果を他の情報処理装置に送信する第２の送信手段をさらに備えることを特徴とする請求項４に記載の情報処理装置。
【発明の詳細な説明】
【技術分野】
【０００１】
本発明は情報処理装置に係り、特に、ＥＴＣ機能を搭載した情報処理装置に関する。
【背景技術】
【０００２】
近年、情報処理装置としての携帯電話機には、単なる通話による通信機能だけでなく、アドレス帳機能、インターネットなどのネットワークを介したメール機能や、Ｗｅｂページなどを閲覧することが可能なブラウザ機能などの種々の機能が搭載されるようになってきている。
【０００３】
また、高速道路などの有料道路を利用する場合において、道路の入口と出口に予め設置された入口（出口）管理装置と無線通信によりＥＴＣ処理を行うことが可能なＥＴＣ機能が搭載された携帯電話機も提案されている（例えば、特許文献１参照）。
【０００４】
特許文献１に提案されている携帯電話機によれば、車両に搭乗するユーザが所持する携帯電話機が、通行中の車両から料金の収受などの処理を行う入口（出口）処理機からのポーリング信号を受信した際に、入口（出口）処理機との通信を行うＥＴＣ車載機モードに移行し、ＥＴＣ車載機モードで入口（出口）処理機との無線通信を行うことによりゲートを通過する際の処理を行うことができる。
【特許文献１】特開２００２−３２８０６号公報
【発明の開示】
【発明が解決しようとする課題】
【０００５】
しかしながら、特許文献１に提案されている携帯電話機では、車両に搭乗する特定のユーザ（例えば、車両の持ち主など）が所持する携帯電話機を用いてＥＴＣ処理を実行することはできるが、ＥＴＣ処理において携帯電話機から車両に関する車両情報などを入口（出口）管理装置に送信しなければならない。そのため、例えば車両の持ち主以外の他のユーザがその車両に搭乗した場合、何らかの方法で他のユーザが所持する携帯電話機に車両情報などを予め取得しておく必要があり、車両の持ち主などの特定のユーザ以外の他のユーザが所持する携帯電話機を用いてＥＴＣ処理を実行することは困難であるという課題があった。
【０００６】
特に、車両の持ち主以外にも他のユーザが複数搭乗した場合、すなわち、ＥＴＣ機能を搭載した複数の携帯電話機が同一の車両に持ち込まれた場合、その場で複数のユーザの合意により、いずれかのユーザが所持する携帯電話機を用いてＥＴＣ処理を実行するように決定されたとしても、直ちに、複数のユーザのうちのいずれかのユーザが所持する携帯電話機を用いてＥＴＣ処理を実行することは困難であるという課題があった。
【０００７】
本発明は、このような状況に鑑みてなされたものであり、ＥＴＣ端末として簡単に設定することができる情報処理装置を提供することを目的とする。
【課題を解決するための手段】
【０００８】
本発明は、上述した課題を解決するために、車両に予め設置された車両設置用情報処理装置から車両情報を受信する受信手段と、受信手段により受信された車両情報を記憶する記憶手段と、情報処理装置に固有の固有情報を車両設置用情報処理装置に送信する第１の送信手段と、記憶手段に記憶されている車両情報を用いて、車両の通行を管理する情報管理装置との間のＥＴＣ処理の実行を制御するＥＴＣ処理制御手段とを備えることを特徴とする。
【０００９】
本発明の情報処理装置においては、車両に搭載された車両設置用情報処理装置から車両情報が受信され、車両情報が記憶され、情報処理装置に固有の固有情報が車両設置用情報処理装置に送信され、記憶手段に記憶されている車両情報を用いて、車両の通行を管理する情報管理装置との間のＥＴＣ処理の実行が制御される。
【発明の効果】
【００１０】
本発明によれば、ＥＴＣ端末として簡単に設定することができる。
【発明を実施するための最良の形態】
【００１１】
以下、本発明の実施の形態について、図面を参照しながら説明する。
【００１２】
図１は、本発明を適用した通行管理システム１の構成を表している。
【００１３】
図１の通行管理システム１においては、道路１０は対距離料金制あるいは均一料金制の有料道路である。車両１１が道路１０を白抜き矢印で示す方向に進行する。この車両１１の所定の位置には通行料金徴収用の情報処理装置として車載装置１２が設置される。また、車両１１には、車両１１内における種々の処理（例えば、カーナビゲーションなど）を行う情報処理装置としてパーソナルコンピュータ１３が所定の位置に設置される。さらに、車両１１に搭乗する複数のユーザによりそれぞれ所持される複数の情報処理装置１４−１乃至１４−ｎが、車両１１内に存在する。
【００１４】
情報処理装置１４−１乃至１４−ｎは、以下において、それぞれを個々に区別する必要がない場合、情報処理装置１４と総称する。また、車載装置１２とパーソナルコンピュータ１３を「車両１１に予め設置された車両設置用情報処理装置」と定義する。なお、本発明の実施形態においては、「車両１１に予め設置された車両設置用情報処理装置」の例として、車載装置１２とパーソナルコンピュータ１３を明示的に記載したが、これ以外にも、例えば記録再生装置やＰＤＡ（Personal Digital Assistant）などに適用するようにしてもよい。
【００１５】
図１に示した通行管理システムは、道路１０に対する通行料金を徴収するシステムであり、中央管理装置１６を備えた中央管理センタ１５、入口を管理する入口管理システム１７、および、出口を管理する出口管理システム１８により構成される。通行料金は、道路１０の利用距離により異なる。車両１１は、道路１０に進入し、入口を管理する入口管理システム１７を通過した後、道路１０を所定の距離走行し、出口を管理する出口管理システム１８を通過し、道路１０を退出する。
【００１６】
図１の入口管理システム１７の下流側には、道路１０を横切るようにガントリー２０−１が設置されており、このガントリー２０−１には、ガントリー２０−１の下を通過する車両１１を検出する光センサ２１が設置される。光センサ２１は、入口管理装置１９と有線または無線により接続されており、車両１１を検出するとその検出信号を入口管理装置１９に出力する。
【００１７】
また、入口管理システム１７の上流側には、道路１０を横切るようにガントリー２０−２が設置されており、このガントリー２０−２には、ガントリー２０−２の下を通過する車両１１に設置された車載装置１２または情報処理装置１４と狭域通信を行うアンテナ２２が設置される。アンテナ２２は、入口管理装置１９と有線または無線により接続されており、車両１１に設置された車載装置１２または情報処理装置１４と双方向通信を行い、通行料金徴収時に必要な入口地点情報を送信する。
【００１８】
道路１０の入口のガントリー２０−１の位置を基準として、車両１１の進行方向の位置の道路わきに、ナンバープレート認識用カメラ２３および車両撮影用カメラ２４が設置される。ナンバープレート認識用カメラ２３および車両撮影用カメラ２４は、有線または無線により入口管理装置１９と接続されており、光センサ２１からの検出信号に基づいて、入口管理装置１９に駆動され、車両１１を撮影する。
【００１９】
ナンバープレート撮影用カメラ２３により撮影された車両１１のナンバープレート情報、および車両撮影用カメラ２４により撮影された車両１１の外観の画像情報は、有線または無線により入口管理装置１９に出力される。これらのナンバープレート情報および画像情報は、中央管理センタ１５の中央管理装置１６に供給され、何らかの理由により車載装置１２が入口地点情報を受信できなかった場合、中央管理装置１５による入口地点情報の作成に利用される。
【００２０】
入口管理装置１９は、道路１０に進入する車両２の進入に関する処理を行う。入口管理装置１９は、中央管理センタ１５の中央管理装置１６に接続されており、進入に関する処理結果を中央管理装置１６に供給する。中央管理センタ１５の中央管理装置１６は、例えば、その他の複数地点の入口管理装置（図示せず）とも接続されており、各地の入口管理装置より処理結果を取得する。中央管理装置１６は、通行料金徴収の際に、その処理結果に基づいて処理を行う。
【００２１】
出口管理システム１８の上流側には、道路１０を横切るようにガントリー２６−１が設置されており、ガントリー２６−１には、ガントリー２６−１の下を通過する車両１１を検出する光センサ２７が設置される。光センサ２７は、出口管理装置２５と有線または無線により接続されており、車両１１を検出するとその検出信号を出口管理装置２５に出力する。
【００２２】
また、出口管理システム１８の下流側には、道路１０を横切るようにガントリー２６−２が設置されており、ガントリー２６−２には、ガントリー２６−２の下を通過する車両１１に設置された車載装置１２または情報処理装置１４と狭域通信を行うアンテナ２８が設置される。アンテナ２８は、出口管理装置２５と有線または無線により接続されており、車両１１に設置された車載装置１２または情報処理装置１４と双方向通信を行い、有料道路の通行料金を徴収する。
【００２３】
道路１０の出口のガントリー２６−１の位置を基準として、車両１１の進行方向の位置の道路わきに、ナンバープレート認識用カメラ２９および車両撮影用カメラ３０が設置される。ナンバープレート認識用カメラ２９および車両撮影用カメラ３０は、有線または無線により出口管理装置２５と接続されており、光センサ２７からの検出信号に基づいて、出口管理装置２５に駆動され、車両１１を撮影する。
【００２４】
ナンバープレート撮影用カメラ２９により撮影された車両１１のナンバープレート情報、および車両撮影用カメラ３０により撮影された車両１１の外観の画像情報は、有線または無線により出口管理装置２５に出力される。これらのナンバープレート情報および画像情報は、中央管理センタ１５の中央管理装置１６に供給され、何らかの理由により車載装置１２より通行料金が徴収できなかった場合、中央管理装置１６による課金処理に利用される。
【００２５】
道路１０のガントリー２６−２の位置を基準として、車両１１の進行方向の位置に道路１０を遮断する遮断機３１が設置される。遮断機３１は出口管理装置２５と有線または無線により接続されており、何らかの理由により、料金徴収が正常に行われなかった場合、出口管理装置２５に制御されて、車両を停止させるために道路１０を遮断する。
【００２６】
出口管理装置２５は、道路１０に進入する車両２の通行料金徴収に関する処理を行う。出口管理装置２５は、中央管理センタ１５の中央管理装置１６に接続されており、通行料金徴収に関する処理の処理結果を中央管理装置１６に供給する。中央管理センタ１５の中央管理装置１６は、例えば、その他の複数地点の出口管理装置（図示せず）とも接続されており、各地の出口管理装置より処理結果を取得する。中央管理装置１６は、料金が徴収できなかった場合の課金処理などを行う。
【００２７】
図２は、図１の車載装置１２の内部の構成を表している。
【００２８】
ＣＰＵ（Central Processing Unit）３２は、ＲＯＭ（Read Only Memory）３３に記憶されているプログラム、または、ＲＡＭ（Random Access Memory）３４にロードされたプログラムに従って車載装置１２の全体の動作をバス３７を介して制御する。ＲＡＭ３４には、ＣＰＵ３２が各種の処理を実行する上において必要なデータなどが適宜記憶される。
【００２９】
不揮発性メモリ３５は、フラッシュメモリなどからなり、ユーザの識別情報（ユーザの氏名や識別番号など）、料金収受関連情報（入口または出口の通過時刻、入口または出口の地点名情報、および課金情報など）、有料道路の料金制度の種類（均一料金制または対距離料金制など）、並びに車両１１に関する車種情報（大型か小型かの種類やナンバープレート情報など）などを記憶する。
【００３０】
時計部３６は、時刻情報を発生し、その時刻情報をディスプレイ４０に表示させる。また、時計部３６は、料金所の通過時刻情報などを供給する。
【００３１】
操作部３８は、ＥＴＣ処理に関する種々のデータを入力するための種々のボタンを有しており、ユーザの操作により入力された種々のデータをＣＰＵ３２に供給する。
【００３２】
表示制御部３９は、ディスプレイ４０を制御し、ＥＴＣ処理に関する種々の画面を表示させる。ディスプレイ４０は、表示制御部３９の制御に従い、ＥＴＣ処理に関する種々の画面を表示する。
【００３３】
ＩＣカード読み出し／書き込み部４１は、ＣＰＵ３２の制御に従い、ＩＣカード挿入口（図示せず）より挿入されたＩＣカード４２に記録された各種の情報を読み出したり、ＣＰＵ３２より指示された情報を書き込んだりする。
【００３４】
なお、ユーザは、クレジットカード会社などと契約することにより、ＩＣカード４２を入手することができる。ＩＣカード４２には、ユーザの個人情報や、有料道路の利用履歴などの情報が記憶されている。
【００３５】
例えば、先払い方式の場合、ＩＣカード４２には、ユーザが予め支払った金額が残金情報として記憶されており、ユーザがＥＴＣシステムを利用すると、車載装置１２により、ＩＣカード挿入口より挿入されたＩＣカード４２に記憶されている残金情報の残金額より、利用料金額が減算される。
【００３６】
また、後払い方式の場合、ＩＣカード４２には、利用料金額の累計額が累計利用料金額情報として記憶されており、ユーザがＥＴＣシステムを利用すると、車載装置１２により、ＩＣカード挿入口より挿入されたＩＣカード４２に記憶されている累計利用料金額情報の累計額に、利用料金額が加算される。
【００３７】
無線通信部４３は、内蔵アンテナ４４を介して、路側の入口管理装置１９や出口管理装置２５と狭域通信を行い、各種の情報を送受信する。また、車両１１内の情報処理装置１４と通信を行い、各種の情報を送受信する。
【００３８】
ドライブ４５は、フロッピディスクやハードディスクなどを含む磁気ディスク４４、ＣＤ−ＲＯＭ(Compact Disk-Read Only Memory)、ＤＶＤ(Digital Versatile Disk)などを含む光ディスク４７、ＭＤ（Mini-Disk（商標））などを含む光磁気ディスク４８、または半導体メモリ４９などの記録媒体に記憶されているプログラムを読み出し、バス３７を介してＲＡＭ３４などに供給する。
【００３９】
図３は、は、図１のパーソナルコンピュータ１３の内部の構成を表している。
【００４０】
図３においては、ＣＰＵ５１は、ＲＯＭ５２に記憶されているプログラム、または記憶部５８からＲＡＭ５３にロードされたプログラムに従って各種の処理を実行する。
【００４１】
ＲＡＭ５３にはまた、ＣＰＵ５１が各種の処理を実行する上において必要なデータなども適宜記憶される。
【００４２】
ＣＰＵ５１、ＲＯＭ５２、およびＲＡＭ５３には、バス５４を介して相互に接続されている。このバス５４にはまた、入出力インタフェース５５が接続される。
【００４３】
入出力インタフェース５５には、キーボード、マウスなどによりなる入力部５６、ＣＲＴ(Cathode Ray Tube)、ＬＣＤ(Liquid Crystal Display)などよりなるディスプレイ、並びにスピーカなどよりなる表示部５７、ハードディスクなどより構成される記憶部５８、モデム、ターミナルアダプタなどより構成される通信部５９が接続される。記憶部５８は、車両１１に関する車種情報（大型か小型かの種類やナンバープレート情報など）などを予め記憶する。
【００４４】
通信部５９は、インターネット（図示せず）を含むネットワークを介しての通信処理を行う。また、通信部５９は、図示せぬ内蔵アンテナを介して、車両１１内の情報処理装置１４と無線通信を行い、各種の情報を送受信する。
【００４５】
入出力インタフェース５５にはまた、必要に応じてドライブ６０が接続され、磁気ディスク６１（フロッピディスクを含む）、光ディスク６２（CD-ROM(Compact Disk-Read Only Memory）、DVD(Digital Versatile Disk)を含む)、光磁気ディスク６３(MD(Mini-Disk)を含む)、あるいは半導体メモリ６４などが適宜装着され、それから読み出しコンピュータプログラムが、必要に応じて記憶部５８にインストールされる。
【００４６】
図４は、本発明に係る情報処理装置１４として適用可能なカメラ付ディジタル携帯電話機ＭＳの外観の構成を表している。なお、図４［Ａ］は、カメラ付ディジタル携帯電話機ＭＳを約１８０度に見開いたときの正面から見た外観の構成を表しており、図４［Ｂ］は、カメラ付ディジタル携帯電話機２を見開いたときの側面から見た外観の構成を表している。
【００４７】
図４［Ａ］および［Ｂ］に示されるように、カメラ付ディジタル携帯電話機ＭＳは、中央のヒンジ部７１を境に第１の筐体７２と第２の筐体７３とで構成されており、ヒンジ部７１を介して矢印Ｘ方向に折り畳み可能に形成される。カメラ付ディジタル携帯電話機ＭＳの内部の所定の位置には、送受信用のアンテナ（後述する図７のアンテナ１１４）が設けられており、内蔵されたアンテナを介して基地局（図示せず）との間で電波を送受信する。
【００４８】
第１の筐体７２には、その正面に液晶ディスプレイ７４（メインディスプレイ）が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図５のＣＣＤカメラ８０）で撮像した画像、外部のコンテンツサーバ（図示せず）より受信したコンテンツ、メモリカード（後述する図７のメモリカード１１６）に記憶されているコンテンツを表示することができる。また、液晶ディスプレイ７４の上部の所定の位置にはスピーカ７５が設けられており、これにより、ユーザは音声通話することが可能である。
【００４９】
一方、第２の筐体７３には、その表面に「０」乃至「９」の数字キー、発呼キー、リダイヤルキー、終話・電源キー、クリアキー、および電子メールキーなどの操作キー７６が設けられており、操作キー７６を用いて各種指示を入力することができる。
【００５０】
第２の筐体７３には、操作キー７６として上部に十字キーと確定キーが設けられており、ユーザが十字キーを上下左右方向に操作することにより当てられたカーソルを上下左右方向に移動させることができる。具体的には、液晶ディスプレイ７４に表示されている電話帳リストや電子メールのスクロール動作、簡易ホームページのページ捲り動作および画像の送り動作などの種々の動作を実行する。
【００５１】
また、確定キーを押下することにより、種々の機能を確定することができる。例えば第２の筐体７３は、ユーザによる十字キーの操作に応じて液晶ディスプレイ７４に表示された電話帳リストの複数の電話番号の中から所望の電話番号が選択され、確定キーが第２の筐体７３の内部方向に押圧されると、選択された電話番号を確定して電話番号に対して発呼処理を行う。
【００５２】
さらに、第２の筐体７３には、十字キーと確定キーの左隣に電子メールキーが設けられており、電子メールキーが第２の筐体７３の内部方向に押圧されると、メールの送受信機能を呼び出すことができる。十字キーと確定キーの右隣には、ブラウザキーが設けられており、ブラウザキーが第２の筐体７３の内部方向に押圧されると、Ｗｅｂページのデータを閲覧することが可能となる。
【００５３】
また、第２の筐体７３には、操作キー７６の下部にマイクロフォン７７が設けられており、マイクロフォン７７によって通話時のユーザの音声を集音する。また、第２の筐体７３には、カメラ付ディジタル携帯電話機ＭＳの操作を行うサイドキー７８が設けられている。
【００５４】
なお、第２の筐体７３は、背面側に図示しないバッテリパックが挿着されており、終話・電源キーがオン状態になると、バッテリパックから各回路部に対して電力が供給されて動作可能な状態に起動する。
【００５５】
ところで、第２の筐体７３には、第２の筐体７３の下部の所定の位置に抜差自在なメモリカード（後述する図７のメモリカード１１６）を挿着するためのメモリカードスロット（図示せず）が設けられており、メモボタン（図示せず）が押下されるとメモリカードに通話中の相手の音声を記録したり、ユーザの操作に応じて電子メール、簡易ホームページ、ＣＣＤカメラで撮像した画像を記録することができる。
【００５６】
ここで、メモリカードは、ＮＡＮＤ型フラッシュメモリカードやＮＯＲ型フラッシュメモリカードなどに代表されるフラッシュメモリカードの一種であり、小型薄型形状のプラスチックケース内に電気的に書換えや消去が可能な不揮発性メモリであるフラッシュメモリ素子を格納したものであり、１０ピン端子を介して画像や音声、音楽等の各種データの書き込み及び読み出しが可能となっている。
【００５７】
また、メモリカードは、大容量化等による内蔵フラッシュメモリの仕様変更に対しても、使用する機器で互換性を確保することができる独自のシリアルプロトコルを採用し、高速性能を実現しているとともに、誤消去防止スイッチを設けて高い信頼性を確保している。
【００５８】
従って、カメラ付ディジタル携帯電話機ＭＳは、このようなメモリカードを挿着可能に構成されているために、メモリカードを介して他の電子機器との間でデータの共有化を図ることができる。
【００５９】
また、第１の筐体７２と第２の筐体７３の内部の所定の位置には、カメラ付ディジタル携帯電話機２の状態を検知するための磁気センサ７９a、７９b、７９c、および７９dが設けられる。
【００６０】
図５は、本発明に係る情報処理装置１４として適用可能なカメラ付ディジタル携帯電話機ＭＳの他の外観の構成を表している。図５のカメラ付ディジタル携帯電話機ＭＳの状態は、図４のカメラ付ディジタル携帯電話機２の状態から矢印Ｘ方向に回動させた状態である。なお、図５［Ａ］は、カメラ付ディジタル携帯電話機ＭＳを閉じたときの正面から見た外観の構成を表しており、図５［Ｂ］は、カメラ付ディジタル携帯電話機ＭＳを閉じたときの側面から見た外観の構成を表している。
【００６１】
第１の筐体７２の上部には、ＣＣＤカメラ８０が設けられており、これにより、所望の撮影対象を撮像することができる。ＣＣＤカメラ８０の下部には、サブディスプレイ８１が設けられており、現在のアンテナの感度のレベルを示すアンテナピクト、カメラ付ディジタル携帯電話機ＭＳの現在の電池残量を示す電池ピクト、現在の時刻などが表示される。
【００６２】
サブディスプレイ８１の下部には、さらに、静電タッチパッド８２が設けられている。静電タッチパッド８２は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００６３】
図６は、本発明に係る情報処理装置１４として適用可能なカメラ付ディジタル携帯電話機ＭＳの内部の概略的な構成を表している。
【００６４】
図６に示されるように、カメラ付ディジタル携帯電話機ＭＳは、カメラ付ディジタル携帯電話機ＭＳ全体を制御する制御装置８３に、入口管理装置１９や出口管理装置２５あるいは車両１１内の車載装置１２などと無線通信する無線装置８４、ユーザにより操作されることにより種々の指示が入力される操作装置８５、および種々のデータを表示する表示装置８６が接続されて構成される。
【００６５】
制御装置８３は、入口管理装置１９からの入口地点情報や出口管理装置２５からの通行料金、車両１１の車載装置１２またはパーソナルコンピュータ１３などからの車両情報や、ＥＴＣ課金情報とＥＴＣ累積課金情報などを記憶するメモリ装置８７、ＥＴＣ機能を動作起動させるＥＴＣ機能動作起動手段８８、および、メモリ装置８７に記憶されている累積通行料金情報を読み出して種々の計算を実行する計算機能動作起動手段８９により構成される。
【００６６】
無線装置８４は、入口管理装置１９や出口管理装置２５と無線通信を行うＥＴＣ無線部９０、および、車両１１の車載装置１２などと無線通信を行う車両情報無線部９１により構成される。
【００６７】
操作装置８５は、ユーザが車両１１に搭乗した際にＥＴＣ端末として動作させるためのＥＴＣ機能起動スイッチ９２、メモリ装置８７にすでに記憶されているＥＴＣ課金情報とＥＴＣ累積課金情報などを表示させるためのＥＴＣ課金情報表示スイッチ９３、および、メモリ装置８７にすでに記憶されているＥＴＣ課金情報を読み出して種々の計算を実行させるための計算機能起動スイッチ９４などにより構成される。
【００６８】
表示装置８６は、種々のデータを表示する表示画面９５により構成される。
【００６９】
図７は、本発明に係る情報処理装置１４として適用可能なカメラ付ディジタル携帯電話機ＭＳの内部の詳細な構成を表している。
【００７０】
図７に示されるように、カメラ付ディジタル携帯電話機ＭＳは、第１の筐体７２及び第２の筐体７３の各部を統括的に制御する主制御部１０１に対して、電源回路部１０２、操作入力制御部１０３、画像エンコーダ１０４、カメラインタフェース部１０５、ＬＣＤ（Liquid Crystal Display）制御部１０６、多重分離部１０８、変復調回路部１０９、音声コーデック１１０、および記憶部１１７がメインバス１１１を介して互いに接続されるとともに、画像エンコーダ１０４、画像デコーダ１０７、多重分離部１０８、変復調回路部１０９、音声コーデック１１０、および記録再生部１１５が同期バス１１２を介して互いに接続されて構成される。
【００７１】
電源回路部１０２は、ユーザの操作により終話・電源キーがオン状態にされると、バッテリパックから各部に対して電力を供給することによりカメラ付ディジタル携帯電話機ＭＳを動作可能な状態に起動する。
【００７２】
主制御部１０１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部１１７からＲＡＭにロードされた各種のアプリケーションプログラムに従って各種の処理を実行するとともに、種々の制御信号を生成し、各部に供給することによりカメラ付ディジタル携帯電話機ＭＳを統括的に制御する。ＲＡＭは、ＣＰＵが各種の処理を実行する上において必要なデータなどを適宜記憶する。
【００７３】
なお、主制御部１０１には、現在の日付と時刻を正確に計測するタイマが内蔵されている。
【００７４】
ここで、ＣＰＵが実行する種々のアプリケーションプログラムは、ＲＯＭや記憶部９７に予めインストールしておくことができる。また、ＣＰＵが実行する種々のアプリケーションプログラムは、図示せぬ基地局を介して通信によってカメラ付ディジタル携帯電話機ＭＳにダウンロードすることにより、記憶部１１７にインストールすることができる。さらに、ＣＰＵが実行する種々のアプリケーションプログラムは、メモリカード１１６に記録しておき、記録再生部１１５によって読み出して、記憶部１１７にインストールすることも可能である。
【００７５】
カメラ付ディジタル携帯電話機ＭＳは、主制御部１０１の制御に基づいて、音声通話モード時にマイクロフォン７７で集音した音声信号を音声コーデック１１０によってディジタル音声信号に変換、圧縮し、これを変復調回路部１０９でスペクトラム拡散処理し、送受信回路部１１３でディジタルアナログ変換処理及び周波数変換処理を施した後にアンテナ１１４を介して送信する。
【００７６】
また、カメラ付ディジタル携帯電話機ＭＳは、音声通話モード時にアンテナ１１４で受信した受信信号を増幅して周波数変換処理及びアナログディジタル変換処理を施し、変復調回路部１０９でスペクトラム逆拡散処理し、音声コーデック１１０によって伸張し、アナログ音声信号に変換した後、変換されたアナログ音声信号をスピーカ７５を介して出力する。
【００７７】
さらに、カメラ付ディジタル携帯電話機ＭＳは、データ通信モード時に電子メールを送信する場合、操作キー７６の操作によって入力された電子メールのテキストデータを操作入力制御部１０３を介して主制御部１０１に送出する。主制御部１０１は、テキストデータを変復調回路部１０９でスペクトラム拡散処理し、送受信回路部１１３でディジタルアナログ変換処理及び周波数変換処理を施した後にアンテナ１１４を介して基地局（図示せず）へ送信する。
【００７８】
これに対してカメラ付ディジタル携帯電話機ＭＳは、データ通信モード時に電子メールを受信する場合、アンテナ１１４を介して基地局（図示せず）から受信した受信信号を変復調回路部１０９でスペクトラム逆拡散処理して元のテキストデータを復元した後、ＬＣＤ制御部１０６を介して液晶ディスプレイ７４に電子メールとして表示する。
【００７９】
その後カメラ付ディジタル携帯電話機ＭＳは、ユーザの操作に応じて受信した電子メールを記録再生部１１５を介してメモリカード１１６に記録することも可能である。
【００８０】
カメラ付ディジタル携帯電話機ＭＳは、画像信号を送信しない場合には、ＣＣＤカメラ８０で撮像した画像信号をカメラインタフェース部１０５及びＬＣＤ制御部１０６を介して液晶ディスプレイ７４に直接表示する。
【００８１】
カメラ付ディジタル携帯電話機ＭＳは、データ通信モード時に画像信号を送信する場合、ＣＣＤカメラ８０で撮像された画像信号をカメラインタフェース部１０５を介して画像エンコーダ１０４に供給する。
【００８２】
画像エンコーダ１０４は、ＣＣＤカメラ８０から供給された画像信号を、例えばＭＰＥＧ（Moving Picture Experts Group）４などの所定の符号化方式によって圧縮符号化することにより符号化画像信号に変換し、変換された符号化画像信号を多重分離部１０８に送出する。このとき同時にカメラ付ディジタル携帯電話機ＭＳは、ＣＣＤカメラ８０で撮像中にマイクロフォン７７で集音した音声を音声コーデック１１０を介してディジタルの音声信号として多重分離部１０９送出する。
【００８３】
多重分離部１０９は、画像エンコーダ１０４から供給された符号化画像信号と音声コーデック１１０から供給された音声信号とを所定の方式で多重化し、その結果得られる多重化信号を変復調回路部１０９でスペクトラム拡散処理し、送受信回路部１１３でディジタルアナログ変換処理及び周波数変換処理を施した後にアンテナ１１４を介して送信する。
【００８４】
これに対して、カメラ付ディジタル携帯電話機ＭＳでは、データ通信モード時に、Ｗｅｂページのデータを受信することができる。
【００８５】
すなわち、カメラ付ディジタル携帯電話機ＭＳにおいて、データ通信モードに、例えばＷｅｂページを要求するデータを送信すると、その要求に応じて、Ｗｅｂページのデータが基地局（図示せず）を介して送信される。このＷｅｂページのデータは、アンテナ９４を介して送受信回路部１１３および変復調回路部１０９で受信される。送受信回路部１１３および変復調回路部１０９は、受信したＷｅｂページのデータを主制御部１０１に送出する。
【００８６】
主制御部１０１は、Ｗｅｂページのデータを解釈し、その解釈に基づく画面（画像）を作成する。作成された画面は、主制御部１０１からＬＣＤ制御部１０６を介して液晶ディスプレイ７４に供給されて表示される。すなわち、主制御部１０１のＲＯＭまたは記憶部９７には、少なくともＷｅｂブラウザのアプリケーションプログラムがインストールされており、主制御部１０１のＣＰＵは、ＲＡＭ上でＷｅｂブラウザのアプリケーションプログラムを実行することで、Ｗｅｂブラウザとして機能し、Ｗｅｂページのデータの解釈などを行う。
【００８７】
また、カメラ付ディジタル携帯電話機ＭＳは、データ通信モード時に例えばＷｅｂページなどにリンクされた動画像ファイルのデータを受信する場合、アンテナ１１４を介して基地局（図示せず）から受信した受信信号を変復調回路部１０９でスペクトラム逆拡散処理し、その結果得られる多重化信号を多重分離部１０８に送出する。
【００８８】
多重分離部１０８は、多重化信号を分離することにより符号化画像信号と音声信号とに分け、同期バス１１２を介して符号化画像信号を画像デコーダ１０７に供給すると共に音声信号を音声コーデック１１０に供給する。画像デコーダ１０７は、符号化画像信号をＭＰＥＧ４などの所定の符号化方式に対応した復号化方式でデコードすることにより再生動画像信号を生成し、生成された再生動画像信号をＬＣＤ制御部１０６を介して液晶ディスプレイ７４に供給し、これにより、例えば、Ｗｅｂページなどにリンクされた動画像ファイルに含まれる動画像データが表示される。
【００８９】
このとき同時に音声コーデック１１０は、音声信号をアナログ音声信号に変換した後、これをスピーカ７５に供給し、これにより、例えば、Ｗｅｂページなどにリンクされた動画像ファイルに含まる音声信号が再生される。この場合も電子メールの場合と同様にカメラ付ディジタル携帯電話機ＭＳは、受信したＷｅｂページなどにリンクされたデータをユーザの操作により記録再生部１１５を介してメモリカード１１６に記録することが可能である。
【００９０】
記憶部１１７は、例えば、電気的に書換えや消去が可能な不揮発性メモリであるＥＥＰＲＯＭの一種であるフラッシュメモリ素子などからなり、主制御部１０１のＣＰＵにより実行される種々のアプリケーションプログラム（例えば、ＥＴＣ処理に関するアプリケーションプログラムや計算処理に関するアプリケーションプログラムなど）や種々のデータ群を格納している。また、記憶部１１７は、必要に応じて、ユーザの操作に応じて受信した電子メールや、受信したＷｅｂページなどにリンクされた動画像ファイルに含まれる動画像データなどを記憶する。
【００９１】
車両無線通信部１１８は、例えばブルートゥース（Bluetooth（商標））モジュール、赤外線通信部、および無線ＬＡＮ（Local Area Network）などの種々の無線通信部からなり、図示せぬ内蔵アンテナ介して、車両１１内の車載装置１２またはパーソナルコンピュータ１３と通信を行い、各種の情報を送受信する。
【００９２】
ＥＴＣ無線通信部１１９は、例えばブルートゥース（Bluetooth（商標））モジュール、赤外線通信部、および無線ＬＡＮなどの種々の無線通信部からなり、図示せぬ内蔵アンテナ介して、路側の入口管理装置１９や出口管理装置２５と通信を行い、各種の情報を送受信する。
【００９３】
図８は、図７のカメラ付ディジタル携帯電話機ＭＳが実行することができる機能的な構成を表している。なお、図７の構成と対応するものについては同一の符号を付している。
【００９４】
操作入力制御部１０３は、ユーザにより操作キー７６が操作されることにより入力された種々のデータを取得し、取得された種々のデータをカメラ付ディジタル携帯電話機ＭＳの各部に供給する。
【００９５】
ＬＣＤ制御部１０６は、カメラ付ディジタル携帯電話機ＭＳの各部から種々のデータを取得し、取得された種々のデータに基づいて各種のメッセージダイアログなどを液晶ディスプレイ７４に表示させる。
【００９６】
ＥＴＣ端末設定制御部１２１は、カメラ付ディジタル携帯電話機ＭＳをＥＴＣ端末として設定するための種々の制御を行う。
【００９７】
車両情報取得要求生成部１２２は、ＥＴＣ端末設定制御部１２１の制御に従い、車両１１に予め設置された車載装置１２またはパーソナルコンピュータ１３から車両１１に関する車両情報（例えば、大型車であるか小型車であるに関する車種情報など）の取得を要求する車両情報取得要求を生成し、生成された車両情報取得要求を車両情報無線通信部１１８に供給する。
【００９８】
車両情報取得部１２３は、車両情報無線通信部１１８から供給された車載装置１２またはパーソナルコンピュータ１３からの車両１１に関する車両情報を取得し、取得された車両１１に関する車両情報を補助記憶部１２４に供給する。
【００９９】
補助記憶部１２４は、図７の記憶部１１７などからなり、車両情報取得部１２３から供給された車両１１に関する車両情報を取得し、取得された車両１１に関する車両情報を記憶する。補助記憶部１２４は、カメラ付ディジタル携帯電話機ＭＳの各部の駆動に必要な種々のデータを予め記憶している。
【０１００】
固有情報生成部１２５は、ＥＴＣ端末設定制御部１２１の制御に従い、補助記憶部１２４に記憶されているユーザ名やカメラ付ディジタル携帯電話機ＭＳの固有の電話番号など読み出し、読み出されたユーザ名やカメラ付ディジタル携帯電話機ＭＳの固有の電話番号などに基づいて固有情報を生成し、生成された固有情報を車両情報無線通信部１１８に供給する。
【０１０１】
ＥＴＣ処理実行制御部１２６は、操作入力制御部１０３からの通知に従い、補助記憶部１０４に予め記憶されているＥＴＣ処理に関するアプリケーションプログラムを読み出し、読み出されたＥＴＣ処理に関するアプリケーションプログラムに基づいてＥＴＣ処理の実行を制御する。
【０１０２】
計算・メール処理実行制御部１２７は、補助記憶部１２４に予め記憶されている計算処理およびメールの送受信に関するアプリケーションプログラムを読み出すとともに、入力データ取得部１２８から入力データを取得し、読み出された計算処理およびメールの送受信に関するアプリケーションプログラムに基づいて、取得された入力データを用いて計算処理を行い、計算結果をＬＣＤ制御部１０６と補助記憶部１２４に供給するとともに、およびＥＴＣ通行料金メールの送受信処理を行う。
【０１０３】
入力データ取得部１２８は、ユーザにより操作キー７６が操作されることにより入力された種々の入力データを操作入力部１０３を介して取得し、取得された入力データを計算・メール処理実行制御部１２７に供給する。
【０１０４】
図９は、図１の入口管理装置１９の内部の構成を表している。
【０１０５】
制御部１３１は、光センサ２１からの出力に基づいて車両１１を検出すると、狭域通信部１３２を制御し、アンテナ２２を介して全ての車両１１に対して、有料道路である道路１０の入口であることを示す信号を送信する。
【０１０６】
狭域通信部１３２は、アンテナ２２を介して、車両１１に搭載されている車載装置１２またはカメラ付ディジタル携帯電話機ＭＳからユーザに関する情報であるユーザ識別情報や車両１１に関する車両情報などを受信し、制御部１１１に供給する。制御部１３１は、狭域通信部１３２を制御し、アンテナ２２を介して車載装置１２に入口地点情報を送信させる。
【０１０７】
制御部１３１は、狭域通信部１３２を制御し、進入に関する処理が完了したことを車載装置１２またはカメラ付ディジタル携帯電話機ＭＳに送信させる。これにより、ＥＴＣを使用した狭域通信による入口通過処理が終了する。
【０１０８】
しかし、例えば車両１１に搭載されている車載装置１２あるいはカメラ付ディジタル携帯電話機ＭＳからユーザ識別情報などが受信できなかった場合、制御部１３１は、ナンバープレート認識部１３３を制御し、ナンバープレート認識用カメラ２３を用いて、その車両１１のナンバープレートを撮影させる。また、制御部１３１は、画像処理部１３４を制御し、車両撮影用カメラ２４で車両１１の外観を撮影させる。
【０１０９】
ナンバープレート認識部１３３は、制御部１３１からの指示に基づいて、ナンバープレート認識用カメラ２３を駆動し、車両１１のナンバープレートを撮影し、撮影した画像データからナンバープレートの文字や記号を認識してナンバープレート情報を取得する。ナンバープレート認識部１３３は、それぞれ取得したナンバープレート情報を制御部１３１に出力する。画像処理部１３４は、制御部１３１からの指示に基づいて、車両撮影用カメラ２３を駆動し、車両１１の外観を撮影し、撮影した車両画像情報を制御部１３１に出力する。
【０１１０】
制御部１３１は、中央管理センタ１５の中央管理装置１６に撮影した車両１１の入口地点情報を作成させるために、ナンバープレート情報および車両画像情報を車両情報通信部１３５を介して、中央管理センタ１５に設置された中央管理装置１６に供給する。なお、入口管理装置１９から送信されるこれらの情報には、入口管理装置１９の識別情報、および通過時刻などの情報が含まれる。識別情報は、制御部１３１内のＲＡＭまたはＲＯＭ（図示せず）に記憶されており、時刻を計時するタイマは、制御部１３１に内蔵されている。
【０１１１】
図１０は、図１の出口管理装置２５の内部の構成を表している。
【０１１２】
制御部１３６は、光センサ２７からの出力に基づいて車両１１を検出すると、狭域通信部１３７を制御し、アンテナ２８を介して全ての車両１１に対して、有料道路である道路１０の出口料金所であることを示す信号を送信する。
【０１１３】
狭域通信部１３７は、アンテナ２８を介して、車両１１に搭載されている車載装置１２またはカメラ付ディジタル携帯電話機ＭＳからユーザに関する情報であるユーザ識別情報や車両１１に関する車両情報、および入口地点情報などを受信し、制御部１３６に供給する。
【０１１４】
制御部１３６は、これらの情報に含まれるナンバープレート情報に基づいて車両１１の小型や大型などを判断する。また、制御部１３６は、入口地点情報などに基づいて、通行料金記憶部１４１に記憶されている道路１０の利用区間における通行料金を読み出し、狭域通信部１３７を制御し、アンテナ２８を介して、車載装置１２またはカメラ付ディジタル携帯電話機ＭＳに通行料金に関する情報（通行料金情報）を送信させる。
【０１１５】
また、入口地点情報を狭域通信部１３７を介して受信できなかった場合、制御部１３６は、車両情報通信部１４０を介して、中央管理センタ１５の中央管理装置１６により作成された、対応する車両１１の入口地点情報を取得し通行料金を算出する。
【０１１６】
制御部１３６は、徴収した通行料金（徴収料金）を徴収料金記憶部１４２に記憶させた後、狭域通信部１３７を制御し、車載装置１２またはカメラ付ディジタル携帯電話機ＭＳに通行料金徴収が完了したことを送信させて、ＥＴＣを使用した狭域通信によるＥＴＣ処理が終了する。
【０１１７】
しかしながら、例えば、車両１１に搭載されている車載装置１２またはカメラ付ディジタル携帯電話機ＭＳからユーザに関する情報であるユーザ識別情報や車両１１に関する車両情報などが受信できなかった場合、制御部１３６は、ナンバープレート認識部１３８を制御し、ナンバープレート認識用カメラ２９で、その車両１１のナンバープレートを撮影させる。また、制御部１３６は、画像処理部１３９を制御し、車両撮影用カメラ３０で車両１１の外観を撮影させる。そして、制御部１３６は、遮断機３１を制御し、道路１０を遮断させる。
【０１１８】
具体的には、ナンバープレート認識部１３８は、制御部１３６からの指示に基づいて、ナンバープレート認識用カメラ２８を駆動し、車両１１のナンバープレートを撮影し、撮影した画像データからナンバープレートの文字や記号を認識してナンバープレート情報を取得する。ナンバープレート認識部１３８は、それぞれ取得したナンバープレート情報を制御部１３６に出力する。画像処理部１３９は、制御部１３６からの指示に基づいて、車両撮影用カメラ３０を駆動し、車両１１の外観を撮影し、撮影した車両画像情報を制御部１３６に出力する。
【０１１９】
遮断機３１により道路１０が遮断された場合、車両１１は停止し、係員によりその車両１１のユーザから通行料金が徴収される。しかし、例えば、遮断機３１が動作しないなどの理由により、車両１１を停止させて通行料金を徴収することができなかった場合、制御部１３６は、中央管理センタ１５に課金処理を行わせるために、ナンバープレート情報および車両画像情報を車両情報通信部１４０を制御して、中央管理センタ１５に設置される中央管理装置１６に送信する。また、出口管理装置２５から送信される情報には、出口管理装置２５の識別情報、および通過時刻などの情報が含まれる。識別情報は、通行料金記憶部１４１に記憶されており、時刻を計時するタイマは、制御部１３６に内蔵されている。
【０１２０】
図１１は、中央管理センタ１５に設置されている中央管理装置１６の構成を表している。
【０１２１】
制御部１４３は、中央管理装置１６の全体の動作を制御する。制御部１４３は、車両情報通信部１４４を介して入口管理装置１９から供給されたナンバープレート情報、車両画像情報および、入口管理装置１９の識別情報などを通行情報記憶部１４９に供給し、通行情報記憶部１４９に管理されるデータベースに記憶させる。制御部１４３は、通行情報記憶部１４９に管理されるデータベースからナンバープレート情報を検索できない場合、出力部１４５を制御し、その車両画像情報などをモニタ１４６に出力させ、係員に通知する。
【０１２２】
通行料金記憶部１４８は、ＨＤＤ（Hard Disc Drive）などからなり、各料金所における車種ごとの通行料金を記憶している。例えば、車両１１のナンバープレート情報より、車種（小型や大型など）を検出し、その通行料金額を制御部１４３に出力する。
【０１２３】
通行情報記憶部１４９は、ＨＤＤ（Hard Disc Drive）などからなり、入口管理装置１９や出口管理装置２５から送信されてきたナンバープレート情報、車両画像情報、および入口地点情報を、管理するデータベースに記憶する。これにより、ナンバープレート情報に基づいて、対応する車両１１の外観の画像を読み出すことができる。
【０１２４】
車両登録記憶部１５０は、ＨＤＤ（Hard Disc Drive）などからなり、ナンバープレート情報、車両の所有者、および所有者の住所などを、管理するデータベースに記憶する。入口管理装置１９や出口管理装置２５において、狭域通信による通行料金の徴収ができなかった場合、車両登録記憶部１５０は、ナンバープレート情報に基づいて、車両登録記憶部１５０に管理されるデータベースより、車両１１の所有者および所有者の住所を取得する。
【０１２５】
次に、図１２のフローチャートを参照して、図８のカメラ付ディジタル携帯電話機ＭＳにおけるＥＴＣ端末設定処理について説明する。
【０１２６】
ステップＳ１において、操作入力制御部８３は、ユーザにより操作キー１０３が操作されることによりＥＴＣ端末設定処理を開始するとの指示がなされたか否かを判定し、ＥＴＣ端末設定処理を開始するとの指示がなされるまで待機する。
【０１２７】
ステップＳ１においてユーザにより操作キー１０３が操作されることによりＥＴＣ端末設定処理を開始するとの指示がなされたと判定された場合、車両情報取得要求生成部１２２はステップＳ２で、ＥＴＣ端末設定制御部１２１の制御に従い、車両１１に予め設置されたパーソナルコンピュータ１３から車両１１に関する車両情報（例えば、大型車であるか小型車であるに関する車種情報やナンバープレート情報など）の取得を要求する車両情報取得要求を生成し、生成された車両情報取得要求を車両情報無線通信部１１８に供給する。
【０１２８】
ステップＳ３において、車両無線通信部１１８は、車両情報取得要求生成部１２２から供給された車両情報取得要求を取得し、取得された車両情報取得要求を図示せぬ内蔵アンテナを介して、車両１１に予め設置されたパーソナルコンピュータ１３に送信する。
【０１２９】
このとき、車両１１に予め設置されたパーソナルコンピュータ１３の通信部５９は、カメラ付ディジタル携帯電話機ＭＳから送信された車両情報取得要求を図示せぬ内蔵アンテナを介して受信し、受信された車両情報取得要求をＣＰＵ５１に供給する。
【０１３０】
ＣＰＵ５１は、通信部５９から供給された車両情報取得要求を取得し、取得された車両情報取得要求に基づいて、記憶部５８に予め記憶されている車両１１に関する車両情報を読み出し、読み出された車両１１に関する車両情報を通信部５９に供給する。
【０１３１】
通信部５９は、ＣＰＵ５１から供給された車両１１に関する車両情報を取得し、取得された車両１１に関する車両情報を、図示せぬ内蔵アンテナを介してカメラ付ディジタル携帯電話機ＭＳに送信する。
【０１３２】
ステップＳ４において、車両情報無線通信部１１８は、車両１１に予め設置されたパーソナルコンピュータ１３から送信された車両情報を図示せぬ内蔵アンテナを介して受信し、受信された車両情報を車両情報取得部１２３に供給する。
【０１３３】
ステップＳ５において、車両情報取得部１２３は、車両情報無線通信部１１８から供給されたパーソナルコンピュータ１３からの車両１１に関する車両情報を取得し、取得された車両１１に関する車両情報を補助記憶部１２４に供給する。補助記憶部１２４は、車両情報取得部１２３から供給された車両情報を取得し、取得された車両情報を記憶する。
【０１３４】
ステップＳ６において、固有情報生成部１２５は、ＥＴＣ端末設定制御部１２１の制御に従い、補助記憶部１２４に記憶されているユーザ名（例えば、青木太郎など）やカメラ付ディジタル携帯電話機ＭＳの固有の電話番号（例えば、０９０−××××−××××）など読み出し、読み出されたユーザ名やカメラ付ディジタル携帯電話機ＭＳの固有の電話番号などに基づいてカメラ付ディジタル携帯電話機ＭＳの固有情報を生成し、生成されたカメラ付ディジタル携帯電話機ＭＳの固有情報を車両情報無線通信部１１８に供給する。
【０１３５】
ステップＳ７において、車両情報無線通信部１１８は、固有情報生成部１２５から供給されたカメラ付ディジタル携帯電話機ＭＳの固有情報を取得し、取得されたカメラ付ディジタル携帯電話機ＭＳの固有情報を図示せぬ内蔵アンテナを介してパーソナルコンピュータ１３に送信する。
【０１３６】
このとき、車両１１に予め設置されたパーソナルコンピュータ１３の通信部５９は、カメラ付ディジタル携帯電話機ＭＳから送信されたカメラ付ディジタル携帯電話機ＭＳの固有情報を図示せぬ内蔵アンテナを介して受信し、受信されたカメラ付ディジタル携帯電話機ＭＳの固有情報をＣＰＵ５１に供給する。
【０１３７】
ＣＰＵ５１は、通信部５９から供給されたカメラ付ディジタル携帯電話機ＭＳの固有情報を取得し、取得されたカメラ付ディジタル携帯電話機ＭＳの固有情報に基づいて、カメラ付ディジタル携帯電話機ＭＳがＥＴＣ端末として設定されたことを認識する。
【０１３８】
これにより、車両１１の持ち主である特定のユーザ以外の他のユーザが所持するカメラ付ディジタル携帯電話機ＭＳを用いてＥＴＣ端末として簡単に設定することができ、ＥＴＣ処理を実行させることができる。従って、カメラ付ディジタル携帯電話機ＭＳをＥＴＣ端末として利用する場合における利便性を向上させることができる。
【０１３９】
ステップＳ８において、ＬＣＤ制御部１０６は、ＥＣＴ端末設定制御部１２１の制御に従い、ＥＴＣ端末として設定が完了した旨を示すＥＴＣ端末設定完了メッセージダイアログを液晶ディスプレイ７４に表示させる。液晶ディスプレイ７４は、ＬＣＤ制御部８６の制御に従い、ＥＴＣ端末として設定が完了した旨を示すＥＴＣ端末設定完了メッセージダイアログを表示する。
【０１４０】
図１３は、図６の液晶ディスプレイ７４に表示されるＥＴＣ端末設定完了メッセージダイアログ１５５の表示例を表している。
【０１４１】
図１３のＥＴＣ端末設定完了メッセージダイアログ１５５は、メッセージ表示欄１５６とコマンドを表示するコマンド表示欄１５７を有する。
【０１４２】
図１３の例の場合、メッセージ表示欄１５６は、メッセージとして「ＥＴＣ端末として設定されました。」が表示される。これにより、ユーザは、カメラ付ディジタル携帯電話機ＭＳがＥＴＣ端末として設定され、以降、ＥＴＣ端末としてＥＴＣ処理を実行することができることが分かる。
【０１４３】
コマンド表示欄１５７は、「ＯＫ」というコマンドのアイコンを有する。ユーザは、操作キー７６を操作することにより、コマンド表示欄１５７の「ＯＫ」のコマンドアイコンを選択し、ＥＴＣ端末設定処理の終了を指示することができる。
【０１４４】
その後、ユーザにより操作キー７６が操作され、ＥＴＣ端末設定処理の終了が指示されると、ＥＴＣ端末設定処理が終了する。
【０１４５】
なお、図１２のフローチャートを参照して説明するＥＴＣ端末設定処理においては、車両１１内のパーソナルコンピュータ１３と無線通信を行うことにより車両１１に関する車両情報をカメラ付ディジタル携帯電話機ＭＳに取得するようにしたが、このような場合に限られず、例えば車両１１内の車載装置１２から無線通信を介して車両１１に関する車両情報を取得するようにしてもよい。
【０１４６】
本発明の実施形態においては、車両１１内に予め設置された車載装置１２やパーソナルコンピュータ１３からカメラ付ディジタル携帯電話機ＭＳに車両１１に関する車両情報を取得するようにしたので、車両１１内のいずれのカメラ付ディジタル携帯電話機ＭＳであっても、ＥＴＣ端末として簡単に設定することができる。これにより、例えば車両の持ち主以外の他のユーザがその車両に搭乗した場合であっても、車両の持ち主などの特定のユーザ以外の他のユーザが所持する携帯電話機を用いてＥＴＣ処理を簡単に実行することができる。
【０１４７】
また、車両の持ち主以外にも他のユーザが複数搭乗した場合（すなわち、ＥＴＣ機能を搭載した複数の携帯電話機が同一の車両に持ち込まれた場合）に、その場で複数のユーザの合意により、いずれかのユーザが所持する携帯電話機を用いてＥＴＣ処理を実行するように決定されたとしても、直ちに、複数のユーザのうちのいずれかのユーザが所持する携帯電話機を用いてＥＴＣ処理を簡単に実行することができる。
【０１４８】
従って、カメラ付ディジタル携帯電話機ＭＳをＥＴＣ端末として利用する場合における利便性を向上させることができる。
【０１４９】
図１４のフローチャートを参照して、図８のカメラ付ディジタル携帯電話機ＭＳにおけるＥＴＣ処理について説明する。このＥＴＣ処理は、ユーザにより操作キー７６のうちのＥＴＣ機能起動スイッチ（図示せず）が操作されることによりＥＴＣ端末としてのＥＴＣ処理を開始するとの指示がなされた後、車両１１が入口管理装置１９と出口管理装置２５を通過する際に実行される。
【０１５０】
また、カメラ付ディジタル携帯電話機ＭＳにおけるＥＴＣ端末としてのＥＴＣ処理は、ＥＴＣ処理実行制御部１２６において、補助記憶部１２４から読み出されたＥＴＣ処理に関するアプリケーションプログラムに基づいて実行される。
【０１５１】
ステップＳ１１において、ＥＴＣ処理実行制御部１２６は、ＥＴＣ無線通信部１１９を制御し、図示せぬ内蔵アンテナを介して入口管理装置１９との通信が確立したか否かを判定し、入口管理装置１９との通信が確立したと判定するまで待機する。
【０１５２】
ステップＳ１１において入口管理装置１９との通信が確立したと判定された場合、ＥＴＣ処理実行制御部１２６はステップＳ１２で、補助記憶部１２４に記憶されているユーザ名（例えば、青木太郎など）やカメラ付ディジタル携帯電話機ＭＳの固有の電話番号（例えば、０９０−××××−××××）など読み出し、読み出されたユーザ名やカメラ付ディジタル携帯電話機ＭＳの固有の電話番号などに基づいてカメラ付ディジタル携帯電話機ＭＳの固有情報を生成するとともに、補助記憶部１２４に記憶されている車両情報やすでに記憶されている累積通行料金情報を読み出し、カメラ付ディジタル携帯電話機ＭＳの固有情報、車両情報や累積通行料金情報をＥＴＣ無線通信部１１９に供給する。
【０１５３】
ＥＴＣ無線通信部１１９は、ＥＴＣ処理実行制御部１２６から供給されたカメラ付ディジタル携帯電話機ＭＳの固有情報、車両情報や累積通行料金情報を取得し、取得されたカメラ付ディジタル携帯電話機ＭＳの固有情報、車両情報や累積通行料金情報を図示せぬ内蔵アンテナを介して入口管理装置１９に送信する。
【０１５４】
このとき、入力管理装置１９の狭域通信部１１２は、アンテナ２２を介して、カメラ付ディジタル携帯電話機ＭＳからカメラ付ディジタル携帯電話機ＭＳの固有情報、車両情報や累積通行料金情報を受信し、受信されたカメラ付ディジタル携帯電話機ＭＳの固有情報、車両情報や累積通行料金情報を制御部１３１に供給する。
【０１５５】
制御部１３１は、狭域通信部１３２を制御し、アンテナ２２を介してカメラ付ディジタル携帯電話機ＭＳに入口地点情報を送信させる。
【０１５６】
ステップＳ１３において、ＥＴＣ無線通信部１１９は、入口管理装置１９から送信された入口地点情報を図示せぬ内蔵アンテナを介して受信し、受信された入口地点情報をＥＴＣ処理実行制御部１２６に供給する。
【０１５７】
ＥＴＣ処理実行制御部１２６は、ＥＴＣ無線通信部１１９から供給された入口地点情報を取得し、取得された入口地点情報を補助記憶部１２４に供給する。
【０１５８】
ステップＳ１４において、補助記憶部１２４は、ＥＴＣ処理実行制御部１２６から供給された入口地点情報を取得し、取得された入口地点情報を記憶する。
【０１５９】
ステップＳ１５において、ＥＴＣ処理実行制御部１２６は、ＥＴＣ無線通信部１１９を制御し、図示せぬ内蔵アンテナを介して出口管理装置２５との通信が確立したか否かを判定し、出口管理装置２５との通信が確立したと判定するまで待機する。
【０１６０】
ステップＳ１５において出口管理装置２５との通信が確立したと判定された場合、ＥＴＣ処理実行制御部１２６はステップＳ１６で、補助記憶部１２４に記憶されているユーザ名（例えば、青木太郎など）やカメラ付ディジタル携帯電話機ＭＳの固有の電話番号（例えば、０９０−××××−××××）など読み出し、読み出されたユーザ名やカメラ付ディジタル携帯電話機ＭＳの電話番号などに基づいてカメラ付ディジタル携帯電話機ＭＳの固有情報を生成するとともに、補助記憶部１２４に記憶されている車両情報や累積通行料金情報および入口地点情報を読み出し、カメラ付ディジタル携帯電話機ＭＳの固有情報、車両情報や累積通行料金情報、および入口地点情報をＥＴＣ無線通信部１１９に供給する。
【０１６１】
ＥＴＣ無線通信部１１９は、ＥＴＣ処理実行制御部１２６から供給されたカメラ付ディジタル携帯電話機ＭＳの固有情報、車両情報や累積通行料金情報、および入口地点情報を取得し、取得されたカメラ付ディジタル携帯電話機ＭＳの固有情報、車両情報や累積通行料金情報、および入口地点情報を図示せぬ内蔵アンテナを介して出口管理装置２５に送信する。
【０１６２】
このとき、出口管理装置２５の狭域通信部１３７は、アンテナ２８を介して、カメラ付ディジタル携帯電話機ＭＳからカメラ付ディジタル携帯電話機ＭＳの固有情報、車両情報や累積通行料金情報、および入口地点情報を受信し、受信されたカメラ付ディジタル携帯電話機ＭＳの固有情報、車両情報や累積通行料金情報、および入口地点情報を制御部１３６に供給する。
【０１６３】
制御部１３６は、車両情報に含まれるナンバープレート情報に基づいて車両１１の小型や大型などを判定する。また、制御部１３６は、入口地点情報などに基づいて、通行料金記憶部１４１に記憶されている道路１０の利用区間における通行料金を読み出し、狭域通信部１３７を制御し、アンテナ２８を介して、カメラ付ディジタル携帯電話機ＭＳに通行料金情報を送信させる。
【０１６４】
ステップＳ１７において、ＥＴＣ無線通信部１１９は、出口管理装置２５から送信された通行料金情報を図示せぬ内蔵アンテナを介して受信し、受信された通行料金情報をＥＴＣ処理実行制御部１２６に供給する。
【０１６５】
ＥＴＣ処理実行制御部１２６は、ＥＴＣ無線通信部１１９から供給された通行料金情報を取得し、取得された通行料金情報を補助記憶部１２４に供給する。
【０１６６】
ステップＳ１８において、補助記憶部１２４は、ＥＴＣ処理実行制御部１２６から供給された通行料金情報を取得し、取得された通行料金情報を記憶する。後払い式の場合、ＥＴＣ端末としてＥＴＣ処理を実行したカメラ付ディジタル携帯電話機ＭＳを所持するユーザに、例えばカメラ付ディジタル携帯電話機ＭＳの料金に加算されて請求がなされる。
【０１６７】
その後、ユーザにより操作キー７６のうちの通行料金情報表示スイッチ（図示せず）が操作されることにより補助記憶部１２４に記憶されている通行料金情報を表示するとの指示がなされると、通行料金情報表示処理が実行される。
【０１６８】
ステップＳ１９において、ＬＣＤ制御部１０６は、操作入力制御部１０３からの通知に従い、補助記憶部１２４に記憶されている通行料金情報を読み出し、読み出された通行料金情報に基づいて、液晶ディスプレイ７４に通行料金表示画面を表示させる。液晶ディスプレイ７４は、ＬＣＤ制御部１０６の制御に従い、通行料金情報表示画面１５８を表示する。
【０１６９】
図１５は、図７の液晶ディスプレイ７４に表示される通行料金情報表示画面１５８の表示例を表している。
【０１７０】
図１５の通行料金情報表示画面１５８は、メッセージ表示欄１５９とコマンドを表示するコマンド表示欄１６０を有する。
【０１７１】
図１５の例の場合、メッセージ表示欄１５９は、メッセージとして「通行料金は２８００円です。」が表示される。これにより、車両１１に搭乗した複数のユーザは、カメラ付ディジタル携帯電話機ＭＳによりＥＴＣ処理が実行された結果、通行料金として２８００円かかったことを直ちに知ることができる。
【０１７２】
コマンド表示欄１６０は、「ＯＫ」というコマンドのアイコンを有する。ユーザは、操作キー７６を操作することにより、コマンド表示欄１６０の「ＯＫ」のコマンドアイコンを選択し、ＥＴＣ処理の終了を指示することができる。
【０１７３】
その後、ユーザにより操作キー７６が操作され、ＥＴＣ処理の終了が指示されると、ＥＴＣ処理が終了する。
【０１７４】
ところで、車両１１に複数のユーザが搭乗した場合、図１４のフローチャートを参照して説明したＥＴＣ処理後において、ユーザが、道路１０を利用したことによる通行料金の一人当たりの料金を知りたいと考える場合、カメラ付ディジタル携帯電話機ＭＳに記憶されている通行料金情報に基づいて一人当たりの料金を計算するようにしてもよい。
【０１７５】
図１６のフローチャートを参照して、図８のカメラ付ディジタル携帯電話機ＭＳにおけるＥＴＣ通行料金計算処理について説明する。ＥＴＣ通行料金計算処理は、ユーザにより操作キー７６のうちの計算機能起動スイッチ（図示せず）が操作されることによりＥＴＣ通行料金計算処理を開始するとの指示がなされると、ＥＴＣ通行料金計算処理が実行される。
【０１７６】
ステップＳ３１において、操作入力制御部１０３は、ＥＴＣ通行料金計算処理を開始するとの指示がなされたか否かを判定し、ＥＴＣ通行料金計算処理を開始するとの指示がなされたか否かを判定するまで待機する。
【０１７７】
ステップＳ３１においてＥＴＣ通行料金計算処理を開始するとの指示がなされたと判定された場合、計算・メール処理実行制御部１２７は、操作入力制御部１０３からの通知に従い、補助記憶部１２４に予め記憶されている計算処理およびメールの送受信に関するアプリケーションプログラムを読み出し、読み出された計算処理およびメールの送受信に関するアプリケーションプログラムに基づいて計算処理およびメールの送信処理の実行を制御する。
【０１７８】
ステップＳ３２において、計算・メール処理実行制御部１２７は、補助記憶部１２４に記憶されている通行料金情報を読み出し、読み出された通行料金情報をＬＣＤ制御部１０６に供給する。
【０１７９】
ステップＳ３３において、ＬＣＤ制御部１０６は、計算・メール処理実行制御部１２７から供給された通行料金情報を取得し、取得された通行料金情報に基づいて、液晶ディスプレイ７４にＥＴＣ通行料金計算画面を表示させる。液晶ディスプレイ７４は、ＬＣＤ制御部１０６の制御に従い、ＥＴＣ通行料金計算画面１６１およびＥＴＣ通行料金メール送信画面１６８を表示する。
【０１８０】
図１７は、図７の液晶ディスプレイ７４に表示されるＥＴＣ通行料金計算画面１６１およびＥＴＣ通行料金メール送信画面１６８の表示例を表している。
【０１８１】
図１７［Ａ］のＥＴＣ通行料金計算画面１６１は、総額表示欄１６２、人数入力受付欄１６３、１人当たりの料金表示欄１６４、および、コマンドを表示するコマンド表示欄１６５を有する。
【０１８２】
図１７［Ａ］の例の場合、総額表示欄１６１は、ＥＴＣ通行料金計算処理の対象となる通行料金が予め表示される。例えば、総額表示欄１６２には、予め「２８００」円が表示される。人数入力受付欄１６３は、ユーザにより操作キー７６の例えば数字キーが操作されることにより、計算処理に用いる人数の入力を受け付ける欄である。１人当たりの料金表示欄１６４は、ＥＴＣ通行料金計算処理の結果が表示される。
【０１８３】
コマンド表示欄１６５は、「計算スタート」というコマンドのアイコンを有する。ユーザは、操作キー７６を操作することにより、コマンド表示欄１６５の「計算スタート」のコマンドアイコンを選択し、計算の開始を指示することができる。
【０１８４】
ステップＳ３４において、入力データ取得部１２８は、ユーザにより操作キー７６が操作されることにより入力された通行料金の計算に関する入力データを操作入力制御部１０３を介して取得する。
【０１８５】
例えば車両１１にユーザが４人搭乗した場合、道路１０を利用したことによる通行料金の一人当たりの料金を計算するために、ユーザは、操作キー７６を操作することにより、図１７［Ａ］に示されるようにＥＴＣ通行料金計算画面１６１上の人数入力受付欄１６３に「４」を入力する。このとき、入力データ取得部１２８は、ユーザにより操作キー７６が操作されることにより入力された通行料金の計算に関する入力データとして「４」に関するデータを、操作入力制御部１０３を介して取得する。
【０１８６】
入力データ取得部１２８は、取得されたＥＴＣ通行料金の計算に関する入力データを計算・メール処理実行制御部１２７に供給する。
【０１８７】
その後、ユーザは、操作キー７６を操作することにより、コマンド表示欄１６５の「計算スタート」のコマンドアイコンを選択し、カメラ付ディジタル携帯電話機ＭＳに計算処理の開始を指示する。
【０１８８】
ステップＳ３５において、計算・メール処理実行制御部１２７は、入力データ取得部１２８から供給されたＥＴＣ通行料金の計算に関する入力データを取得し、取得されたＥＴＣ通行料金の計算に関する入力データと読み出されたる通行料金情報に基づいて、計算処理を行う。すなわち、図１７［Ａ］の例の場合、計算処理の結果、１人当たりの料金として７００円が算出される。
【０１８９】
計算・メール処理実行制御部１２７は、計算結果を補助記憶部１２４とＬＣＤ制御部１０６に供給する。補助記憶部１２４は、計算・メール処理実行制御部１２７から供給された計算結果を取得し、取得された計算結果を記憶する。
【０１９０】
ステップＳ３６において、ＬＣＤ制御部１０６は、計算・メール処理実行制御部１２７から供給された計算結果を取得し、取得された計算結果に基づいて、液晶ディスプレイ７４に図１７［Ｂ］に示されるように更新されたＥＴＣ通行料金計算画面１６１を表示させる。液晶ディスプレイ７４は、ＬＣＤ制御部１０６の制御に従い、図１７［Ｂ］に示されるように更新されたＥＴＣ通行料金計算画面１６１を表示する。
【０１９１】
図１７［Ｂ］の例の場合、ＥＴＣ通行料金計算画面１６１上の１人当たりの料金表示欄１６４に、１人当たりの料金として「７００」円が表示される。これにより、車両１１内の複数のユーザは、道路１０を利用することにより１人当たりにかかる通行料金を直ちに、かつ、簡単に知ることができる。
【０１９２】
図１７［Ｂ］のＥＴＣ通行料金計算画面１６１は、総額表示欄１６２、人数入力受付欄１６３、および１人当たりの料金表示欄１６４以外に、コマンドを表示するコマンド表示欄１６６と１６７をさらに有する。
【０１９３】
コマンド表示欄１６６は、「再計算」というコマンドのアイコンを有する。ユーザは、操作キー７６を操作することにより、コマンド表示欄１６６の「再計算」のコマンドアイコンを選択し、再度の計算をするために図１７［Ａ］のＥＴＣ通行料金表示画面１６１を表示させることを指示することができる。
【０１９４】
コマンド表示欄１６７は、「メール送信」というコマンドのアイコンを有する。ユーザは、操作キー７６を操作することにより、コマンド表示欄１６７の「メール送信」のコマンドアイコンを選択し、ＥＴＣ通行料金の計算結果を他のユーザにメールで送信するために図１７［Ｃ］のＥＴＣ通行料金メール送信画面１６８を表示させることを指示することができる。
【０１９５】
その後、ユーザは、操作キー７６を操作することにより、コマンド表示欄１６６の「再計算」のコマンドアイコンを選択し、カメラ付ディジタル携帯電話機ＭＳに、再度の計算をするために図１７［Ａ］のＥＴＣ通行料金表示画面１６１を表示させることを指示する。これにより、液晶ディスプレイ７４に表示される表示画面は、図１７［Ａ］のＥＴＣ通行料金計算画面１６１に遷移する。
【０１９６】
一方、ＥＴＣ通行料金の計算結果を他のユーザにメールで送信する場合、ユーザは、操作キー７６を操作することにより、コマンド表示欄１６７の「メール送信」のコマンドアイコンを選択し、カメラ付ディジタル携帯電話機ＭＳに、ＥＴＣ通行料金の計算結果を他のユーザにメールで送信するために図１７［Ｃ］のＥＴＣ通行料金メール送信画面１６８を表示させることを指示する。
【０１９７】
ステップＳ３７において、ＬＣＤ制御部１０６は、液晶ディスプレイ７４に図１７［Ｃ］に示されるようなＥＴＣ通行料金メール送信画面１６８を表示させる。液晶ディスプレイ７４は、ＬＣＤ制御部１０６の制御に従い、図１７［Ｃ］に示されるようなＥＴＣ通行料金メール送信画面１６８を表示する。
【０１９８】
図１７［Ｃ］のＥＴＣ通行料金メール送信画面１６８は、宛先入力受付欄１６９、件名入力受付欄１７０、本文入受付欄１７１、コマンドを表示するコマンド表示欄１７２、およびコマンドを表示するコマンド表示欄１７３を有する。
【０１９９】
図１７［Ｃ］の例の場合、宛先入力受付欄１６９は、ユーザにより操作キー７６が操作されることにより、ＥＴＣ通行料金メールを送信する宛先の入力を受け付ける欄である。件名入力受付欄１７０は、ユーザにより操作キー７６が操作されることにより、件名の入力を受け付ける欄である。本文入力受付欄１７１は、ユーザにより操作キー７６が操作されることにより、ＥＴＣ通行料金メールの本文の入力を受け付ける欄である。
【０２００】
コマンド表示欄１７２は、「送信」というコマンドのアイコンを有する。ユーザは、操作キー７６を操作することにより、コマンド表示欄１７２の「送信」のコマンドのアイコンを選択し、ＥＴＣ通行料金メールの送信を指示することができる。
【０２０１】
コマンド表示欄１７３は、「戻る」というコマンドのアイコンを有する。ユーザは、操作キー７６を操作することにより、コマンド表示欄１７３の「戻る」のコマンドのアイコンを選択し、図１７［Ｂ］のＥＴＣ通行料金計算画面１６１に戻ることを指示することができる。
【０２０２】
図１７［Ｃ］の例の場合、宛先入力受付欄１６９には、ＥＴＣ通行料金メールを送信する宛先として「Ａさん、Ｂさん、Ｃさん」の入力が受け付けられ、件名入力受付欄１７０には、件名として「「練馬」〜「高崎」間の高速料金」の入力が受け付けられ、本文入力受付欄１７１には、ＥＴＣ通行料金メールの本文として「６／２９走行（２０：００）高速料金です。２８００円、１人７００円。」の入力が受け付けられる。
【０２０３】
その後、ユーザは、操作キー７６を操作することにより、コマンド表示欄１７２の「送信」のコマンドアイコンを選択し、カメラ付ディジタル携帯電話機ＭＳにＥＴＣ通行料金メールの送信を指示する。
【０２０４】
ステップＳ３８において、計算・メール処理実行制御部１２７は、図１７［Ｃ］のＥＴＣ通行料金メール送信画面１６８において入力が受け付けられた内容のＥＴＣ通行料金メールの送信処理を実行する。すなわち、図１７［Ｃ］の例の場合、入力が受け付けられた宛先であるＡさん、Ｂさん、およびＣさんが所持する他のカメラ付ディジタル携帯電話機ＭＳに、変復調回路部１０９および送受信回路部１１３そして基地局（図示せず）を介してＥＴＣ通行料金メールが送信される。これにより、車両１１内の複数のユーザは、道路１０を利用することにより１人当たりにかかる通行料金をメール機能を用いて正確に、かつ、簡単に知ることができる。
【０２０５】
なお、本発明の実施形態においては、ＥＴＣ通行料金計算処理として単純な割り算を行うようにしたが、このような場合に限られず、補助記憶部１２４にすでに記憶されている通行料金情報を用いた種々の計算処理を実行することができる。
【０２０６】
また、本発明の実施形態においては、車両１１に車載装置１２が予め設置された場合に適用するようにしたが、このような場合に限られず、勿論、車両１１に車載装置１２が設置されていない場合に適用するようにしてもよい。
【０２０７】
なお、本発明は、携帯電話機以外にも、ＰＤＡ（Personal Digital Assistant）、パーソナルコンピュータ、その他の情報処理装置にも適用することができる。
【０２０８】
また、本発明の実施形態において説明した一連の処理は、ソフトウェアにより実行させることもできるが、ハードウェアにより実行させることもできる。
【０２０９】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０２１０】
【図１】本発明を適用した通行管理システムの構成を示す図。
【図２】図１の車載装置の内部の構成を示すブロック図。
【図３】図１のパーソナルコンピュータの内部の構成を示すブロック図。
【図４】本発明に係る情報処理装置として適用可能なカメラ付ディジタル携帯電話機を約１８０度に見開いたときの正面と側面から見た外観の構成を示す図。
【図５】本発明に係る情報処理装置として適用可能なカメラ付のディジタル携帯電話機を閉じたときの正面と側面から見た外観の構成を示す図。
【図６】本発明に係る情報処理装置として適用可能なカメラ付のディジタル携帯電話機の内部の概略的な構成を示すブロック図。
【図７】本発明に係る情報処理装置として適用可能なカメラ付のディジタル携帯電話機の内部の詳細な構成を示すブロック図。
【図８】図７のカメラ付のディジタル携帯電話機が実行することができる機能的な構成を示すブロック図。
【図９】図１の入口管理装置の内部の構成を示すブロック図。
【図１０】図１の出口管理装置の内部の構成を示すブロック図。
【図１１】図１の中央管理装置の内部の構成を示すブロック図。
【図１２】図８のカメラ付ディジタル携帯電話機におけるＥＴＣ端末設定処理を説明するフローチャート。
【図１３】図７の液晶ディスプレイに表示されるＥＴＣ端末設定完了メッセージダイアログの表示例を示す図。
【図１４】図８のカメラ付ディジタル携帯電話機におけるＥＴＣ処理を説明するフローチャート。
【図１５】図７の液晶ディスプレイに表示される通行料金情報表示画面の表示例を示す図。
【図１６】図８のカメラ付ディジタル携帯電話機におけるＥＴＣ通行料金計算処理を説明するフローチャート。
【図１７】図７の液晶ディスプレイに表示されるＥＴＣ通行料金計算画面およびＥＴＣ通行料金メール送信画面の表示例を示す図。
【符号の説明】
【０２１１】
１…通行管理システム、１０…道路、１１…車両、１２…車載装置、１３…パーソナルコンピュータ、１４…情報処理装置、１５…中央管理センタ、１６…中央管理装置、１７…入口管理システム、１８…出口管理システム、１９…入口管理装置、２０−１乃至２０−２…ガントリー、２１…光センサ、２２…アンテナ、２３…ナンバープレート認識用カメラ、２４…車両撮影用カメラ、２５…出口管理装置、２６−１乃至２６−２…ガントリー、２７…光センサ、２８…アンテナ、２９…ナンバープレート認識用カメラ、３０…車両撮影用カメラ、３１…遮断機、３２…ＣＰＵ、３３…ＲＯＭ、３４…ＲＡＭ、３５…不揮発性メモリ、３６…時計部、３７…バス、３８…操作部、３９…表示制御部、４０…ディスプレイ、４１…ＩＣカード読み出し／書き込み部、４２…ＩＣカード、４３…無線通信部、４４…内蔵アンテナ、４５…ドライブ、４６…磁気ディスク、４７…光ディスク、４８…光磁気ディスク、４９…半導体メモリ、５１…ＣＰＵ、５２…ＲＯＭ、５３…ＲＡＭ、５４…バス、５５…入出力インタフェース、５６…入力部、５７…出力部、５８…記憶部、５９…通信部、６０…ドライブ、６１…磁気ディスク、６２…光ディスク、６３…光磁気ディスク、６４…半導体メモリ、７１…ヒンジ部、７２…第１の筐体、７３…第２の筐体、７４…液晶ディスプレイ、７５…スピーカ、７６…操作キー、７７…マイクロフォン、７８…サイドキー、７９a乃至７９d…磁気センサ、８０…CCDカメラ、８１…サブディスプレイ、８２…静電タッチパッド、８３…制御装置、８４…無線装置、８５…操作装置、８６…表示装置、８７…メモリ装置、８８…ＥＴＣ機能動作起動手段、８９…計算機能動作起動手段、９０…ＥＴＣ無線部、９１…車両情報無線部、９２…ＥＴＣ機能起動スイッチ、９３…ＥＴＣ課金情報表示スイッチ、９４…計算機能起動スイッチ、９５…表示画面、１０１…主制御部、１０２…電源回路、１０３…操作入力制御部、１０４…画像エンコーダ、１０５…カメラI/F部、１０６…LCD制御部、１０７…画像デコーダ、１０８…多重分離部、１０９…変復調回路部、１１０…音声コーデック、１１１…メインバス、１１２…同期バス、１１３…送受信回路部、１１４…アンテナ、１１５…記録再生部、１１６…メモリカード、１１７…記憶部、１１８…車両情報無線通信部、１１９…ＥＴＣ無線通信部、１２１…ＥＴＣ端末設定制御部、１２２…車両情報取得要求生成部、１２３…車両情報部、１２４…補助記憶部、１２５…固有情報生成部、１２６…ＥＴＣ処理実行制御部、１２７…計算・メール処理実行制御部、１２８…入力データ取得部、１３１…制御部、１３２…狭域通信部、１３３…ナンバープレート認識部、１３４…画像処理部、１３５…車両情報通信部、１３６…制御部、１３７…狭域通信部、１３８…ナンバープレート認識部、１３９…画像処理部、１４０…車両情報通信部、１４１…通行料金記憶部、１４２…徴収料金記憶部、１４３…制御部、１４４…車両情報通信部、１４５…出力部、１４６…モニタ、１４７…プリンタ、１４８…通行料金記憶部、１４９…通行情報記憶部、１５０…車両登録記憶部、１５１…入力部。
【図１】
2008004009.tif 000003
【図２】
2008004009.tif 000004
【図３】
2008004009.tif 000005
【図４】
2008004009.tif 000006
【図５】
2008004009.tif 000007
【図６】
2008004009.tif 000008
【図７】
2008004009.tif 000009
【図８】
2008004009.tif 000010
【図９】
2008004009.tif 000011
【図１０】
2008004009.tif 000012
【図１１】
2008004009.tif 000013
【図１２】
2008004009.tif 000014
【図１３】
2008004009.tif 000015
【図１４】
2008004009.tif 000016
【図１５】
2008004009.tif 000017
【図１６】
2008004009.tif 000018
【図１７】
2008004009.tif 000019